【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
記憶装置に格納された管理対象ファイルを管理するファイル管理装置であって、
当該管理対象ファイルを検索する際に用いる検索情報と当該管理対象ファイルの指定された部分を簡易再生するための簡易再生用情報とを関連付けて格納する格納手段と、
入力された検索キーに基づいて、前記格納手段に格納されている検索情報を検索する検索手段と、
前記検索手段で検索された検索情報に関連づけられている簡易再生用情報を再生する再生手段と、を有し、
前記格納手段は、ユーザの指示に基づいて、１つの管理対象ファイルに対して、複数の異なる検索情報と簡易再生用情報とを関連付けて格納可能とし、
前記検索手段で複数の検索情報が検索された場合、前記再生手段は、当該検索された複数の検索情報それぞれに関連付けられている簡易再生用情報を再生することを特徴とするファイル管理装置。
【請求項２】
前記格納手段は、前記検索情報と、前記簡易再生用情報と、前記管理対象ファイルの所在位置を示す所在位置情報と、前記管理対象ファイルに基づいて生成されたアイコン画像情報とを関連付けて格納し、
前記検索手段では、前記検索キーに基づいて検索された検索情報に関連付けられているアイコン画像情報に基づき、当該検索結果をアイコン一覧で表示し、
前記再生手段では、前記表示されたアイコン一覧において、ユーザによって指定されたアイコンに関連付けられている簡易再生用情報を再生し、
更に、前記表示されたアイコン一覧において、ユーザによって指定されたアイコンのオープン指示が入力された場合、当該アイコン画像情報に関連付けられている前記所在位置情報に基づき、当該管理対象ファイルをオープンするファイルオープン手段
を備えることを特徴とする請求項１に記載のファイル管理装置。
【請求項３】
前記簡易再生用情報は、
管理対象ファイルが文書である場合にはユーザにより指定されたページのテキスト情報、
管理対象ファイルが画像である場合にはユーザにより指定されたページの画像情報、
管理対象ファイルが音声である場合にはユーザにより指定された区間の音声情報、
管理対象ファイルが動画である場合にはユーザにより指定された区間の動画像情報
とすることを特徴とする請求項１に記載のファイル管理装置。
【請求項４】
前記検索情報には、予め規定されている規定済み属性項目と、ユーザが任意に設定するユーザ属性項目とが含まれることを特徴とする請求項１に記載のファイル管理装置。
【請求項５】
更に、前記簡易再生用情報に含まれるテキスト情報を用いることにより、テキスト検索する文字列検索手段を備えることを特徴とする請求項１に記載のファイル管理装置。
【請求項６】
前記格納手段は、ＸＭＬファイルに記述することにより、前記検索情報と前記簡易再生用情報とを関連付けて格納することを特徴とする請求項１に記載のファイル管理装置。
【請求項７】
前記格納手段は、前記管理対象ファイルのユーザにより指定された部分を前記簡易再生用情報として格納するか、前記管理対象ファイルのデフォルトで指定された部分を前記簡易再生用情報として格納するかを、ユーザの指示に基づいて決定することを特徴とする請求項１に記載のファイル管理装置。
【請求項８】
記憶装置に格納された管理対象ファイルを管理するファイル管理装置の制御方法であって、
格納手段が、当該管理対象ファイルを検索する際に用いる検索情報と当該管理対象ファイルの指定された部分を簡易再生するための簡易再生用情報とを関連付けて、記憶装置に格納する格納工程と、
検索手段が、入力された検索キーに基づいて、前記記憶装置に格納されている検索情報を検索する検索工程と、
再生手段が、前記検索工程で検索された検索情報に関連づけられている簡易再生用情報を再生する再生工程と、を有し、
前記記憶装置は、ユーザの指示に基づいて、１つの管理対象ファイルに対して、複数の異なる検索情報と簡易再生用情報とを関連付けて格納可能とし、
前記検索工程で複数の検索情報が検索された場合、前記再生工程では、当該検索された複数の検索情報それぞれに関連付けられている簡易再生用情報を再生することを特徴とするファイル管理装置の制御方法。
【請求項９】
前記格納工程では、前記検索情報と、前記簡易再生用情報と、前記管理対象ファイルの所在位置を示す所在位置情報と、前記管理対象ファイルに基づいて生成されたアイコン画像情報とを関連付けて、前記記憶装置に格納し、
前記検索工程では、前記検索キーに基づいて検索された検索情報に関連付けられているアイコン画像情報に基づき、当該検索結果をアイコン一覧で表示し、
前記再生工程では、前記表示されたアイコン一覧において、ユーザによって指定されたアイコンに関連付けられている簡易再生用情報を再生し、
更に、オープン手段が、前記表示されたアイコン一覧において、ユーザによって指定されたアイコンのオープン指示が入力された場合、当該アイコン画像情報に関連付けられている前記所在位置情報に基づき、当該管理対象ファイルをオープンするファイルオープン工程を
備えることを特徴とする請求項８記載のファイル管理装置の制御方法。
【請求項１０】
コンピュータに、記憶装置に格納された管理対象ファイルを管理させるためのコンピュータプログラムであって、
前記コンピュータに、
当該管理対象ファイルを検索する際に用いる検索情報と当該管理対象ファイルの指定された部分を簡易再生するための簡易再生用情報とを関連付けて、記憶装置に格納する格納工程、
入力された検索キーに基づいて、前記記憶装置に格納されている検索情報を検索する検索工程、
前記検索工程で検索された検索情報に関連づけられている簡易再生用情報を再生する再生工程
を実行させると共に、更に、
前記格納工程では、ユーザの指示に基づいて、１つの管理対象ファイルに対して、複数の異なる検索情報と簡易再生用情報とを関連付けて格納可能とし、
前記検索工程で複数の検索情報が検索された場合、前記再生工程では、当該検索された複数の検索情報それぞれに関連付けられている簡易再生用情報を再生するように、コンピュータに実行させるためのコンピュータプログラム。
【請求項１１】
前記格納工程では、前記検索情報と、前記簡易再生用情報と、前記管理対象ファイルの所在位置を示す所在位置情報と、前記管理対象ファイルに基づいて生成されたアイコン画像情報とを関連付けて、前記記憶装置に格納し、
前記検索工程では、前記検索キーに基づいて検索された検索情報に関連付けられているアイコン画像情報に基づき、当該検索結果をアイコン一覧で表示し、
前記再生工程では、前記表示されたアイコン一覧において、ユーザによって指定されたアイコンに関連付けられている簡易再生用情報を再生し、
前記プログラムは、更に、前記表示されたアイコン一覧において、ユーザによって指定されたアイコンのオープン指示が入力された場合、当該アイコン画像情報に関連付けられている前記所在位置情報に基づき、当該管理対象ファイルをオープンするファイルオープン工程を、コンピュータに実行させることを特徴とする請求項１０に記載のコンピュータプログラム。
【請求項１２】
請求項１０又は１１に記載のコンピュータプログラムを格納したことを特徴とするコンピュータ可読記憶媒体。
【手続補正２】
【補正対象書類名】明細書
【補正対象項目名】００１３
【補正方法】変更
【補正の内容】
【００１３】
この課題を解決するため、例えば本発明のファイル管理装置は以下の構成を備える。すなわち、
記憶装置に格納された管理対象ファイルを管理するファイル管理装置であって、
当該管理対象ファイルを検索する際に用いる検索情報と当該管理対象ファイルの指定された部分を簡易再生するための簡易再生用情報とを関連付けて格納する格納手段と、
入力された検索キーに基づいて、前記格納手段に格納されている検索情報を検索する検索手段と、
前記検索手段で検索された検索情報に関連づけられている簡易再生用情報を再生する再生手段と、を有し、
前記格納手段は、ユーザの指示に基づいて、１つの管理対象ファイルに対して、複数の異なる検索情報と簡易再生用情報とを関連付けて格納可能とし、
前記検索手段で複数の検索情報が検索された場合、前記再生手段は、当該検索された複数の検索情報それぞれに関連付けられている簡易再生用情報を再生することを特徴とする。